(57)【要約】【課題】間欠動作と連続動作との切り替え、ならびに動作間隔の設定を自分自身で行うことができる、携帯電子機器に接続可能な外部アクセサリを提供する。【解決手段】デジタルカメラ１は、撮影待機状態、スタンバイ状態、および電源オフ状態の３つの状態のうち、いずれかの状態をとる。ＧＰＳモジュール３は、デジタルカメラ１が撮影待機状態のときのみ電力を供給するアクセサリ用電源回路２３により電力が供給されている場合には、測位モジュール３２による衛星捕捉動作を連続的に行う。他方、デジタルカメラ１が電源オフ状態であり、デジタルカメラ１の動作状態に関わらず電力を供給するバッテリパック４からのみ電力が供給されている場合には、測位モジュール３２による衛星捕捉動作を間欠的に行う。【選択図】図１
2010049680.tif 000002
【特許請求の範囲】
【請求項１】
電源手段を有する電子機器に着脱可能な外部アクセサリであって、
前記電子機器の電源手段から電力を受けとる第１の受電手段と、
前記電子機器の電源手段から電力を受けとる第２の受電手段と、
前記第１の受電手段が電力を受けとっているか否かを判定する判定手段と、
前記第１の受電手段または前記第２の受電手段により受けとられた電力を用いて所定の機能を実行する機能実行手段と、
前記判定手段により肯定判定が行われた場合には前記機能実行手段を連続的に起動し、前記判定手段により否定判定が行われた場合には前記機能実行手段を間欠的に起動する制御手段と、
を備えることを特徴とする外部アクセサリ。
【請求項２】
請求項１に記載の外部アクセサリにおいて、
前記制御手段は、前記機能実行手段を間欠的に所定の回数だけ起動した場合、前記判定手段により肯定判定が行われるまで前記機能実行手段を起動しないことを特徴とする外部アクセサリ。
【請求項３】
請求項１または２に記載の外部アクセサリにおいて、
前記制御手段は、前記機能実行手段を所定期間起動しなかった場合、次に前記機能実行手段を起動する際に初期化処理を行うことを特徴とする外部アクセサリ。
【請求項４】
請求項１〜３のいずれか一項に記載の外部アクセサリにおいて、
前記第１の受電手段と前記第２の受電手段とは共に、同一の電池パックに基づく電力を受けとることを特徴とする外部アクセサリ。
【請求項５】
請求項４に記載の外部アクセサリにおいて、
前記電池パックの残容量を検出する検出手段を更に備え、
前記制御手段は、前記判定手段により否定判定が行われた場合、前記機能実行手段を前記残容量に基づいて間欠的に起動することを特徴とする外部アクセサリ。
【請求項６】
請求項１〜５のいずれか一項に記載の外部アクセサリにおいて、
前記機能実行手段は、外部から受信した信号に基づいて位置情報を算出する機能を実行することを特徴とする外部アクセサリ。
【請求項７】
請求項６に記載の外部アクセサリにおいて、
前記位置情報に基づいて、前記外部アクセサリの移動情報を算出する算出手段を更に備え、
前記制御手段は、前記判定手段により否定判定が行われた場合、前記機能実行手段を前記移動情報に基づいて間欠的に起動することを特徴とする外部アクセサリ。
【請求項８】
請求項１〜５のいずれか一項に記載の外部アクセサリにおいて、
コンデンサに蓄積された電荷を用いて発光する発光手段をさらに備え、
前記機能実行手段は、前記コンデンサへ電荷を蓄積する機能を実行することを特徴とする外部アクセサリ。
【請求項９】
請求項１〜８のいずれか一項に記載の外部アクセサリにおいて、
前記第１の受電手段は、前記電子機器が電源オン状態のときに電力を受けとり、
前記第２の受電手段は、前記電子機器が電源オン状態ではないときに電力を受けとることを特徴とする外部アクセサリ。
【請求項１０】
請求項１〜９のいずれか一項に記載の外部アクセサリにおいて、
前記電子機器はカメラであることを特徴とする外部アクセサリ。
【請求項１１】
請求項１〜９のいずれか一項に記載の電子機器および外部アクセサリを有するシステム。
【請求項１２】
電子機器に着脱可能な外部アクセサリであって、
前記電子機器の動作状態を表す状態信号を受信する受信手段と、
前記状態信号に基づいて、前記動作状態が所定の動作状態か否かを判定する判定手段と、
所定の機能を実行する機能実行手段と、
前記判定手段により肯定判定が行われた場合には前記機能実行手段を連続的に起動し、前記判定手段により否定判定が行われた場合には前記機能実行手段を間欠的に起動する制御手段と、
を備えることを特徴とする外部アクセサリ。
【発明の詳細な説明】
【技術分野】
【０００１】
本発明は、電子機器に取り付けられる外部アクセサリの消費電力を削減する技術に関する。
【背景技術】
【０００２】
携帯用の電子機器は一般に、様々な機能を提供する外部アクセサリを装着できるよう構成されている。これらの外部アクセサリには、電子機器が備えるバッテリから電力の供給を受けるものが存在する。電子機器の電源をオフにすると、このような外部アクセサリへの電力供給も同時にオフとなる。
【０００３】
外部アクセサリの中には、初期化処理を実行する必要があり、かつ外部アクセサリの電源をオフにしても初期化処理の結果が一定期間存続するものが存在する。このような外部アクセサリを利用する際、電子機器の電源がオフの場合に外部アクセサリの初期化処理を間欠的に実行させることには、次の利点が存在する。第１に、外部アクセサリの電源投入時に初期化処理が不要となり、初期化処理が完了するまでの待ち時間を軽減することができる。第２に、外部アクセサリの不要な消費電力を抑えることが可能である。例えば特許文献１では、相互に接続された撮像装置とＧＰＳモジュールにおいて、撮像装置の使用頻度に基づいてＧＰＳモジュールの動作間隔を決定する技術が開示されている。
【先行技術文献】
【特許文献】
【０００４】
【特許文献１】特開２００７−１５８８８６号公報
【発明の概要】
【発明が解決しようとする課題】
【０００５】
特許文献１に開示されている技術では、ＧＰＳモジュールを撮像装置が内蔵していることを前提としている。従って、ＧＰＳモジュールを間欠動作させるための動作間隔の設定が、撮像装置により行われている。しかしながら、汎用的な外部アクセサリを用いる場合には、外部アクセサリ自身によりこれらの設定が為されるべきである。この場合、従来技術を適用して望ましい動作を得ることができない。
【課題を解決するための手段】
【０００６】
請求項１に係る発明は、電源手段を有する電子機器に着脱可能な外部アクセサリであって、電子機器の電源手段から電力を受けとる第１の受電手段と、電子機器の電源手段から電力を受けとる第２の受電手段と、第１の受電手段が電力を受けとっているか否かを判定する判定手段と、第１の受電手段または第２の受電手段により受けとられた電力を用いて所定の機能を実行する機能実行手段と、判定手段により肯定判定が行われた場合には機能実行手段を連続的に起動し、判定手段により否定判定が行われた場合には機能実行手段を間欠的に起動する制御手段と、を備えることを特徴とする外部アクセサリである。
請求項１２に係る発明は、電子機器に着脱可能な外部アクセサリであって、電子機器の動作状態を表す状態信号を受信する受信手段と、状態信号に基づいて、動作状態が所定の動作状態か否かを判定する判定手段と、所定の機能を実行する機能実行手段と、判定手段により肯定判定が行われた場合には機能実行手段を連続的に起動し、判定手段により否定判定が行われた場合には機能実行手段を間欠的に起動する制御手段と、を備えることを特徴とする外部アクセサリである。
【発明の効果】
【０００７】
本発明によれば、外部アクセサリが機能を実行する間隔の設定を、外部アクセサリ自身が能動的に決定することができる。
【図面の簡単な説明】
【０００８】
【図１】第１の実施の形態によるデジタルカメラの回路構成を示すブロック図である。
【図２】ＧＰＳモジュール３への電力供給経路を示す図である。
【図３】デジタルカメラ１の動作状態の詳細を示す図である。
【図４】ＶBATによる電力の供給が開始された後の、ＧＰＳモジュール３の処理内容を示すフローチャートである。
【図５】ＴＸの信号レベルがＨからＬに変化したときに実行される、デジタルカメラ１の処理内容を示すフローチャートである。
【図６】第２の実施の形態によるデジタルカメラの回路構成を示すブロック図である。
【図７】第３の実施の形態による携帯情報端末の回路構成を示すブロック図である。
【図８】第４の実施の形態における、ＶBATによる電力の供給が開始された後の、ＧＰＳモジュール３の処理内容を示すフローチャートである。
【図９】第５の実施の形態における、ＶBATによる電力の供給が開始された後の、ＧＰＳモジュール３の処理内容を示すフローチャートである。
【図１０】第６の実施の形態における、ＶBATによる電力の供給が開始された後の、ＧＰＳモジュール３の処理内容を示すフローチャートである。
【発明を実施するための形態】
【０００９】
――第１の実施の形態――
図面を用いて、本発明の一実施の形態によるデジタルカメラおよびＧＰＳ（Ｇｌｏｂａｌ  Ｐｏｓｉｔｉｏｎｉｎｇ  Ｓｙｓｔｅｍ）モジュールについて説明する。この実施の形態のデジタルカメラは、ＧＰＳモジュールが接続されている場合に、ＧＰＳモジュールが送出する位置情報を撮影画像に付加する。
【００１０】
図１は本実施の形態によるデジタルカメラの回路構成を示すブロック図である。デジタルカメラ１は、撮像素子１５，カメラ制御回路１６，ＤＲＡＭ１７，フラッシュメモリ１８，入力装置１３，焦点調節装置１４，メモリカードインタフェース（Ｉ／Ｆ）２１，ＬＣＤ駆動回路１９，液晶モニタ２０，および外部アクセサリ用電源回路２３を備える。
【００１１】
撮像素子１５は、画素に対応する複数の光電変換素子を備えたＣＣＤやＣＭＯＳイメージセンサによって構成される。撮像素子１５は、撮像面上に結像されている被写体像を撮像し、被写体像の明るさに応じた光電変換信号（画像信号）を出力する。撮像素子１５の撮像面には、それぞれＲ（赤）、Ｇ（緑）およびＢ（青）のカラーフィルタが画素位置に対応するように設けられている。撮像素子１５がカラーフィルタを通して被写体像を撮像するため、各撮像素子から出力される画像信号は、それぞれＲＧＢ表色系の色情報を有する。
【００１２】
撮像素子１５から出力された画像信号はカメラ制御回路１６に入力される。カメラ制御回路１６は、画像信号に対して種々の画像処理を行い、画像データを生成する。そして、カメラ制御回路１６は生成された画像データに対してＪＰＥＧなどの所定の方式により圧縮処理を行い、ＥＸＩＦなどの形式で記録媒体２２へ記録する。カメラ制御回路１６は、たとえばＲＩＳＣなどで構成され、図１に示す各回路を制御する。
【００１３】
焦点調節装置１４は、撮像素子１５から出力される撮像信号に基づいて周知の焦点評価値演算を行い、演算結果をカメラ制御回路１６へ出力する。カメラ制御回路１６は、上記演算結果に基づいて、焦点評価値が最大となる位置へ撮影レンズ１０を移動する。
【００１４】
ＤＲＡＭ１７は、画像処理、画像圧縮処理および表示用画像データ作成処理の途中や処理後のデータを一時的に格納するために使用される。表示用画像データは、カメラ制御回路１６が撮像素子１５からの出力に基づいて生成した画像データ、もしくは記録媒体２２に記録されている画像データに基づいて、カメラ制御回路１６により生成される。生成された表示用画像データは、カメラ制御回路１６によりＤＲＡＭ１７に格納される。フラッシュメモリ１８は、たとえばカメラ制御回路１６が演算を行なうための各種の処理プログラムが記憶された不揮発性メモリである。
【００１５】
ＬＣＤ駆動回路１９はカメラ制御回路１６の命令に基づいて液晶モニタ２０を駆動し、液晶モニタ２０は画像を表示する。また、液晶モニタ２０は、デジタルカメラの各種設定メニュー画面の表示を行なう。入力装置１３は、レリーズボタンや再生ボタンなどの種々の操作ボタンを含み、使用者による各操作ボタンの操作信号をカメラ制御回路１６へ出力する。
【００１６】
デジタルカメラ１には、例えばＧＰＳモジュールや発光装置などの外部アクセサリを装着することができる。装着した外部アクセサリには外部アクセサリ用電源回路２３より電力が供給される。図１には、ＧＰＳモジュール３を接続した様子が示されている。
【００１７】
ＧＰＳモジュール３はＧＰＳ制御回路３１および測位モジュール３２を備える。ＧＰＳ制御回路３１は、測位モジュール３２を用いて取得した位置情報を、デジタルカメラ１が備えるカメラ制御回路１６に送信する。測位モジュール３２には不図示のアンテナが接続されており、ＧＰＳ衛星からの信号を受信することができる。すなわち、測位モジュール３２は、外部から受信した信号に基づいて位置情報を算出する機能を実行する機能実行手段である。
【００１８】
デジタルカメラ１およびＧＰＳモジュール３を動作させるための電力は、デジタルカメラ１へ取り付けられたバッテリパック４により提供される。バッテリパック４は残容量検出回路４１および二次電池４２を備える。残容量検出回路４１は、二次電池４２の残容量を検出してデジタルカメラ１のカメラ制御回路１６へ送信する。
【００１９】
残容量検出回路４１は詳細検出モードと簡易検出モードの２つの動作モードを備える。詳細検出モードは二次電池４２の消費電流を測定することにより、二次電池４２の正確な残容量を検出するモードである。詳細検出モードのとき、残容量検出回路４１は二次電池４２の残容量を正確に検出できる。しかしながら、残容量検出回路４１は消費電流の測定を行う際に電力を消費するため、二次電池４２の消耗が大きくなる。簡易検出モードは、消費電流が所定の量であると仮定し、この所定量に経過時間を乗算することで二次電池４２の残容量を推定するモードである。簡易検出モードのとき、残容量検出回路４１が消費電流の測定のために消費する電力は、詳細検出モードのときと比べて少ない。ただし、簡易検出モードは、残容量検出の精度が詳細検出モードと比べて劣る。
【００２０】
図２は、ＧＰＳモジュール３への電力供給経路を示す図である。図中の破線が電力の供給経路を、実線が通信経路を示す。なお、図２では、デジタルカメラ１の各構成要素に対する電力供給経路は、外部アクセサリ用電源回路２３を除き省略している。
【００２１】
二次電池４２からの電源ラインは、残容量検出回路４１を経由してデジタルカメラ１およびＧＰＳモジュール３へ接続されている。以下、二次電池４２からの電源ラインをＶBATという。残容量検出回路４１は二次電池４２の消費電流を監視し、二次電池４２の残容量を検出する。以下、残容量検出回路４１が検出した残容量を、推定残容量と呼ぶ。残容量検出回路４１は、カメラ制御回路１６からの問い合わせに応じて二次電池４２の推定残容量をカメラ制御回路１６へ送信する。
【００２２】
デジタルカメラ１が備える外部アクセサリ用電源回路２３は、残容量検出回路４１から供給される電圧を変換し、所定の電圧をＧＰＳモジュール３へ供給する。以下、外部アクセサリ用電源回路２３からの電源ラインをＶCCという。カメラ制御回路１６は、外部アクセサリ用電源回路２３によるＧＰＳモジュール３への給電を開始および停止させることができる。
【００２３】
ＧＰＳ制御回路３１および測位モジュール３２には、ＶCCおよびＶBATを通じて電力が供給される。具体的には、ＧＰＳモジュール３は、電源ラインＶCCからの電力を受け取る不図示の電気接点と、電源ラインＶBATからの電力を受け取る不図示の電気接点と、を有する。これら２つの電気接点はＧＰＳ制御回路３１および測位モジュール３２に接続されている。ＧＰＳ制御回路３１および測位モジュール３２は、ＶCCにより電力供給が行われている場合にはＶCCを、それ以外の場合にはＶBATを電源として動作する。ＧＰＳ制御回路３１とカメラ制御回路１６とは、位置情報を送信するための通信経路ＴＸにより接続されている。ＴＸは位置情報の送信の他に、デジタルカメラ１の状態を変更するためにも用いられる。
【００２４】
次に、ＧＰＳモジュール３の動作について説明する。ＧＰＳモジュール３は、複数の衛星から送信される信号を受信し、信号に含まれる情報に基づいて位置情報を算出する。信号の受信および位置情報の算出は測位モジュール３２により行われる。制御回路３１は測位モジュール３２から位置情報を受け取り、デジタルカメラ１へ位置情報を送信する。
【００２５】
位置情報を算出するためには、信号を受信可能な複数の衛星を探索する処理と、探索された複数の衛星の中から位置情報の算出に用いる衛星を選択する処理と、を実行する必要がある。このため、ＧＰＳモジュール３が動作を開始してからこれらの処理が完了するまで、ＧＰＳモジュール３は位置情報を算出することができない。これらの処理には、例えば３０秒以上の時間が必要となる。衛星の選択が完了していれば、ＧＰＳモジュール３は位置情報算出をより短い時間（例えば５秒以上）で行うことができる。なお、衛星の選択を行ってから衛星からの信号を一定時間受信しなかった場合には、衛星の探索処理と衛星の選択処理とを再度実行する必要がある。これは、一定時間の間にＧＰＳモジュール３の位置が大きく変化し、これまでに利用していた衛星から信号を受信できなくなっている可能性があるためである。
【００２６】
つまり、デジタルカメラ１への電源投入後にＧＰＳモジュール３の動作を開始するようにした場合、デジタルカメラ１が電源オン状態になってから位置情報が利用できるようになるまでに３０秒以上の時間が必要となる。従って、デジタルカメラ１による撮像が可能になるまでのタイムラグが大きくなってしまう。
【００２７】
一方で、デジタルカメラ１が電源オフ状態である間も、ＶBATを用いて継続的にＧＰＳモジュール３による位置情報の算出を行った場合、電源オン状態になってから撮像が可能になるまでのタイムラグは小さくなる。しかしながら、ＧＰＳモジュール３による消費電力が大きくなってしまう。
【００２８】
本実施形態におけるＧＰＳモジュール３は、デジタルカメラ１が電源オフ状態である場合、ＶBATから供給される電力を用いて位置情報の算出を間欠的に行う。この場合の位置情報算出は所定回数だけ実行される。デジタルカメラ１が電源オフ状態のまま所定回数の位置情報算出を行ったＧＰＳモジュール３は、デジタルカメラ１の電源投入が行われるまでこれ以上の位置情報算出を行わない。
【００２９】
ＧＰＳモジュール３は、スタンバイ状態と稼働状態という２つの動作状態を有し、いずれか一方の動作状態で動作する。ＧＰＳモジュール３が稼働状態のとき、ＧＰＳモジュール３はすべての回路を動作させる。他方、ＧＰＳモジュール３がスタンバイ状態のとき、測位モジュール３２と、制御回路３１に含まれる測位モジュール３２を制御するための回路と、は動作しない。従って、スタンバイ状態のＧＰＳモジュール３の消費電力は、稼働状態のＧＰＳモジュール３の消費電力と比べて小さい。
【００３０】
次に、デジタルカメラ１の動作状態について説明する。デジタルカメラ１は、撮影待機状態、スタンバイ状態、および電源オフ状態の３つの状態のうち、いずれかの状態をとる。撮影待機状態は、ユーザがデジタルカメラ１を用いて撮像を行うことができる状態であり、その他の状態に比べてデジタルカメラ１の消費電力は大きい。スタンバイ状態は、すぐに撮影待機状態に遷移可能な状態であり、デジタルカメラ１の消費電力は撮影待機状態に比べて少ない。電源オフ状態はデジタルカメラ１が起動する前の状態であり、デジタルカメラ１の消費電力はその他の状態に比べてもっとも少ない。
【００３１】
図３は、デジタルカメラ１の動作状態の詳細を示す図である。図３（ａ）には各動作状態の詳細を、図３（ｂ）には状態遷移図を示す。
【００３２】
図３（ａ）に示す通り、外部アクセサリへのＶCCを通じた電源供給、および、残容量検出回路４１の動作モードは、デジタルカメラ１の動作状態に応じて変化する。デジタルカメラ１が撮影待機状態ではない場合、外部アクセサリへのＶCCを通じた電源供給は行われない。また、デジタルカメラ１が撮影待機状態ではない場合、残容量検出回路４１の動作モードは簡易検出モードとなる。
【００３３】
図３（ｂ）を用いて、デジタルカメラ１の各動作状態の遷移条件を説明する。デジタルカメラ１が電源オフ状態のとき、不図示の電源スイッチに対して電源オン操作を行うことにより、デジタルカメラ１は撮影待機状態となる。撮影待機状態のとき、ユーザによる操作が８秒間連続して行われなかった場合、デジタルカメラ１はスタンバイ状態となる。
【００３４】
デジタルカメラ１がスタンバイ状態のとき、ユーザが何らかの操作を行うか、あるいはＧＰＳモジュール３がＴＸの信号レベルをＨ（Ｈｉｇｈ）からＬ（Ｌｏｗ）に設定した場合、デジタルカメラは撮影待機状態となる。いずれの動作状態であっても、電源スイッチに対して電源オフ操作が行われた場合には、デジタルカメラ１は電源オフ状態へ遷移する。
【００３５】
次に、デジタルカメラ１およびＧＰＳモジュール３の実際の処理内容について、図を用いて説明する。以下では、まずＶBATによるＧＰＳモジュール３への電力供給が開始されたときの処理を説明し、次にＴＸの信号レベルがＨからＬに変化したときのデジタルカメラ１の処理を説明する。
【００３６】
図４は、ＶBATによる電力の供給が開始された後の、ＧＰＳモジュール３の処理内容を示すフローチャートである。まずステップＳ１１では、ＧＰＳ制御回路３１がＴＸの信号レベルをＨに設定する。ステップＳ１２では、ＧＰＳ制御回路３１がＶCCによる電力供給が行われているか否かを判定する。ＶCCから電力が供給されている場合には、ステップＳ１２により肯定判定がなされ、ステップＳ２４に進む。ステップＳ２４では、ＧＰＳ制御回路３１の制御に基づき、測位モジュール３２がＶCCを電源として衛星捕捉動作を行い、位置情報を算出してステップＳ１２へ戻る。すなわち、ＶCCから電力が供給されている場合には、ＧＰＳ制御回路３１は測位モジュール３２へ衛星補足動作を連続的に行わせる。他方、ステップＳ１２において否定判定がなされた場合には、ステップＳ１３へ進む。
【００３７】
ステップＳ１３ではＧＰＳ制御回路３１が変数Ｎに５を設定する。ステップＳ１４ではＧＰＳ制御回路３１がＧＰＳモジュール３をスタンバイ状態に設定する。ステップＳ１５ではＧＰＳ制御回路３１が、所定時間（例えば３０分）が経過するまでスタンバイ状態のまま待機する。ステップＳ１６ではＧＰＳ制御回路３１がＧＰＳモジュール３を稼働状態とする。ステップＳ１７ではＧＰＳ制御回路３１がＴＸの信号レベルをＬに設定する。ステップＳ１８ではＧＰＳ制御回路３１がＴＸの信号レベルをＨに戻す。
【００３８】
ステップＳ１９では、ＧＰＳ制御回路３１が、ステップＳ１７でＴＸの信号レベルをＬに設定したことにより、ＶCCによる電力供給が開始されたか否かを判定する。ＶCCを通じて電力が供給されている場合には、ステップＳ１９により肯定判定がなされ、ステップＳ２４に進む。ステップＳ２４ではＧＰＳ制御回路３１の制御に基づき、測位モジュール３２がＶCCを電源として衛星捕捉動作を行い、位置情報を算出してステップＳ１２へ戻る。他方、ステップＳ１９において否定判定がなされた場合には、ステップＳ２０へ進む。
【００３９】
ステップＳ２０ではＧＰＳ制御回路３１の制御に基づき、測位モジュール３２がＶBATを電源として衛星捕捉動作を行い、位置情報を算出してステップＳ２１へ進む。ステップＳ２１では変数Ｎから１を減算する。ステップＳ２２では、ＧＰＳ制御回路３１が、変数Ｎが０であるか否かを判定する。変数Ｎが０ではなかった場合、ステップＳ２２により否定判定がなされ、ステップＳ１４へ戻る。他方、ステップＳ２２において肯定判定がなされた場合には、ステップＳ２３に進む。ステップＳ２３では、ＧＰＳ制御回路３１がＧＰＳモジュール３をスタンバイ状態とし、処理を終了する。
【００４０】
図５は、ＴＸの信号レベルがＨからＬに変化したときに実行される、デジタルカメラ１の処理内容を示すフローチャートである。図５のフローチャートの各ステップは、全てカメラ制御回路１６により実行される。まずステップＳ３１では、カメラ制御回路１６が、デジタルカメラ１が電源オフ状態であるか否かを判定する。デジタルカメラ１が電源オフ状態となっている場合、ステップＳ３１により肯定判定がなされ、処理を終了する。すなわち、電源オフ状態の場合、カメラ制御回路１６はＴＸの信号レベルが変化したことによる処理を何も行われない。他方、ステップＳ３１において否定判定がなされた場合には、ステップＳ３２へ進む。
【００４１】
ステップＳ３２では、カメラ制御回路１６がデジタルカメラ１の状態を撮影待機状態に遷移させる。撮影待機状態になったデジタルカメラ１は、ＶCCによる電力供給を開始する。ステップＳ３３では、カメラ制御回路１６が８秒間でタイムアウトするタイマーの動作を開始させる。ステップＳ３４では、カメラ制御回路１６がＧＰＳモジュール３から送信される位置情報を受信する。ステップＳ３５では、カメラ制御回路１６が、デジタルカメラ１に対してユーザによる操作が行われたか否かを判定する。ユーザによる何らかの操作が行われていた場合、ステップＳ３５により肯定判定がなされ、ステップＳ３６へ進む。ステップＳ３６では、カメラ制御回路１６がステップＳ３３で動作を開始させたタイマーをリセットし、再び８秒後にタイムアウトするように設定してステップＳ３７へ進む。他方、ステップＳ３５により否定判定がなされた場合には、ステップＳ３７に進む。
【００４２】
ステップＳ３７では、カメラ制御回路１６がステップＳ３３で動作を開始させたタイマーがタイムアウトしたか否かを判定する。タイムアウトしていなかった場合には、ステップＳ３７により否定判定がなされ、ステップＳ３４へ戻る。他方、ステップＳ３７において肯定判定がなされた場合には、ステップＳ３８へ進む。ステップＳ３８では、カメラ制御回路１６がデジタルカメラ１の動作状態をスタンバイ状態に設定し処理を終了する。スタンバイ状態に設定されると、デジタルカメラ１はＶCCによる電力供給を停止する。
【００４３】
上述した第１の実施の形態によるデジタルカメラおよびＧＰＳモジュールによれば、次の作用効果が得られる。
（１）ＧＰＳモジュール３は、デジタルカメラ１が撮影待機状態のときのみ電力を供給するアクセサリ用電源回路２３により電力が供給されている場合には、測位モジュール３２による衛星捕捉動作を連続的に行う。他方、デジタルカメラ１が電源オフ状態であり、デジタルカメラ１の動作状態に関わらず電力を供給するバッテリパック４からのみ電力が供給されている場合には、測位モジュール３２による衛星捕捉動作を間欠的に行う。これにより、ＧＰＳモジュール３は、自身の動作を電源状態に応じて適切に設定することができる。
【００４４】
（２）デジタルカメラ１が電源オフ状態のとき、測位モジュール３２による衛星捕捉動作は、所定の試行回数だけ行われる。これにより、デジタルカメラ１を長期間電源オフ状態にしたときの、ＧＰＳモジュール３による電力の消費を削減することができる。
【００４５】
上述した第１の実施の形態では、ＧＰＳモジュール３が２つの電源ライン（ＶCCとＶBAT）の電力供給状況に応じて衛星補足動作を連続的に行うか、あるいは間欠的に行うかを判断していた。これら２つの電源ラインの電力供給状況は、図３（ａ）に示すように、デジタルカメラ１の動作状態に応じて変化する。従って、ＧＰＳモジュール３はデジタルカメラ１の動作状態に応じて連続的な衛星補足動作と間欠的な衛星補足動作とを切り替えていると言える。
【００４６】
上述した第１の実施の形態では、携帯電子機器であるデジタルカメラと、外部アクセサリであるＧＰＳモジュールとについて説明した。しかし、デジタルカメラに接続する外部アクセサリは、ＧＰＳモジュールに限らない。以下に詳述する第２の実施の形態では、デジタルカメラに接続するフラッシュモジュールについて説明する。
【００４７】
――第２の実施の形態――
図６は、本実施の形態によるデジタルカメラの回路構成を示すブロック図である。ＧＰＳモジュール３に換えて、フラッシュモジュール１０３がデジタルカメラ１０１へ接続されている。フラッシュモジュール１０３は、フラッシュ制御回路１３１と発光モジュール１３２とを備える。
【００４８】
フラッシュモジュール１０３は、デジタルカメラ１０１が電源オフ状態である場合、ＶBATから供給される電力を用いて発光モジュール１３２を発光させるためのキャパシタ（不図示）へ電荷の蓄積を間欠的に行い、キャパシタに蓄積されている電荷が所定量を下回らないようにする。キャパシタに蓄積されている電荷が所定量を下回っている場合、発光モジュール１３２を発光させることができない。この電荷の蓄積は所定回数だけ実行される。デジタルカメラ１が電源オフ状態のまま所定回数の電荷の蓄積を行ったフラッシュモジュール１０３は、デジタルカメラ１０１の電源投入が行われるまでキャパシタへの電荷の蓄積を行わない。
【００４９】
他方、デジタルカメラ１０１が撮影待機状態もしくはスタンバイ状態であるときには、フラッシュモジュール１０３はキャパシタへの電荷の蓄積を連続的に行い、発光モジュール１３２を発光させることができる状態を維持する。
【００５０】
上述した第２の実施の形態によるデジタルカメラおよびフラッシュモジュールによれば、第１の実施の形態によるデジタルカメラおよびＧＰＳモジュールと同様の作用効果が得られる。
【００５１】
上述した第２の実施の形態では、携帯電子機器であるデジタルカメラについて説明した。しかし、本発明はデジタルカメラ以外の携帯電子機器についても好適に適用可能である。以下に詳述する第３の実施の形態では、携帯電子機器である携帯情報端末について説明する。
【００５２】
――第３の実施の形態――
図７は、本実施の形態による携帯情報端末の回路構成を示すブロック図である。携帯情報端末２０１は、入力装置２１３，端末制御回路２１６，ＤＲＡＭ２１７，フラッシュメモリ２１８，記録装置２２２，液晶モニタ２２０，および外部アクセサリ用電源回路２２３を備える。
【００５３】
情報端末２０１には、第１の実施の形態におけるデジタルカメラと同様に、例えばＧＰＳモジュールなどの外部アクセサリを装着することができる。装着した外部アクセサリには外部アクセサリ用電源回路２２３より電力が供給される。図７には、ＧＰＳモジュール２０３を接続した様子が示されている。また、情報端末２０１およびＧＰＳモジュール２０３を動作させるための電力は、第１の実施の形態と同様に、バッテリパック４により提供される。
【００５４】
上述した第３の実施の形態による携帯情報端末およびＧＰＳモジュールによれば、第１の実施の形態によるデジタルカメラおよびＧＰＳモジュールと同様の作用効果が得られる。
【００５５】
――第４の実施の形態――
第４の実施の携帯に係るデジタルカメラは、第１の実施の形態に係るデジタルカメラと同様の構成を備える。第１の実施の形態のデジタルカメラとの相違点は、外部アクセサリであるＧＰＳモジュールが、二次電池の残容量に応じて動作を変える点である。
【００５６】
本実施形態のデジタルカメラ１は、ＧＰＳモジュール３へ二次電池４２の推定残容量ＲＢＡＴを送信する。ＧＰＳモジュール３は、この推定残容量ＲＢＡＴが所定容量Ｒ１を上回る場合、位置情報算出の試行回数Ｎを５回に設定する。他方、推定残容量ＲＢＡＴが所定容量Ｒ１以下である場合には、ＧＰＳモジュール３は更に推定残容量ＲＢＡＴと所定容量Ｒ２とを比較する。所定容量Ｒ２は所定容量Ｒ１より小さい容量である。推定残容量ＲＢＡＴが所定容量Ｒ２を上回る場合、ＧＰＳモジュール３は、位置情報算出の試行回数Ｎを２回に設定する。推定残容量ＲＢＡＴが所定容量Ｒ２以下であった場合には、ＧＰＳモジュール３は位置情報算出を行わない。
【００５７】
デジタルカメラ１がＧＰＳモジュール３へ二次電池の推定残容量ＲＢＡＴを送信するタイミングは、デジタルカメラ１がスタンバイ状態に遷移する直前である。すなわち、図５に示したフローチャートのステップＳ３８の直前に、デジタルカメラ１からＧＰＳモジュール３へ二次電池の推定残容量ＲＢＡＴが送信される。
【００５８】
図８は、第４の実施の形態における、ＶBATによる電力の供給が開始された後の、ＧＰＳモジュール３の処理内容を示すフローチャートである。図８に示すフローチャートの実行時、デジタルカメラ１は撮影待機状態ではない。従って、ＧＰＳ制御回路３１は図８のフローチャートの実行中、デジタルカメラ１から推定残容量ＲＢＡＴを受信することはできない。そこで、ＧＰＳ制御回路３１は、デジタルカメラ１から最後に受信した推定残容量ＲＢＡＴを記憶しておく。そして、図８に示す処理の中で、記憶した推定残容量ＲＢＡＴを電力の消費状況に応じて更新する。
【００５９】
ステップＳ４１では、ＧＰＳ制御回路３１がＴＸの信号レベルをＨに設定する。ステップＳ４２では、ＧＰＳ制御回路３１がＶCCによる電力供給が行われているか否かを判定する。ＶCCから電力が供給されている場合には、ステップＳ４２により肯定判定がなされ、ステップＳ７１に進む。ステップＳ７１では、ＧＰＳ制御回路３１の制御に基づき、測位モジュール３２がＶCCを電源として衛星捕捉動作を行い、位置情報を算出してステップＳ４２へ戻る。他方、ステップＳ４２において否定判定がなされた場合には、ステップＳ４３へ進む。
【００６０】
ステップＳ４３ではＧＰＳ制御回路３１がＧＰＳモジュール３をスタンバイ状態とする。ステップＳ４４では、ＧＰＳ制御回路３１が、推定残容量ＲＢＡＴが所定容量Ｒ１より大きいか否かを判定する。推定残容量ＲＢＡＴが所定容量Ｒ１より大きい場合にはステップＳ５１へ進む。ステップＳ５１では、ＧＰＳ制御回路３１が衛星補足動作の試行回数を表す変数Ｎに５を設定する。ステップＳ５２では、ＧＰＳ制御回路３１が、所定時間Ｔ１（例えば３０分）が経過するまでスタンバイ状態のまま待機する。ステップＳ５３ではＧＰＳ制御回路３１がＧＰＳモジュール３を稼働状態とする。ステップＳ５４ではＧＰＳ制御回路３１がＴＸの信号レベルをＬに設定する。ステップＳ５５ではＧＰＳ制御回路３１がＴＸの信号レベルをＨに戻す。
【００６１】
ステップＳ５６では、ＧＰＳ制御回路３１がステップＳ５４でＴＸの信号レベルをＬに設定したことにより、ＶCCによる電力供給が開始されたか否かを判定する。ＶCCを通じて電力が供給されている場合には、ステップＳ５６により肯定判定がなされ、ステップＳ７１に進む。ステップＳ７１ではＧＰＳ制御回路３１の制御に基づき、測位モジュール３２がＶCCを電源として衛星捕捉動作を行い、位置情報を算出してステップＳ４１へ戻る。他方、ステップＳ５６において否定判定がなされた場合には、ステップＳ５７へ進む。
【００６２】
ステップＳ５７では、ＧＰＳ制御回路３１の制御に基づき、測位モジュール３２がＶBATを電源として衛星捕捉動作を行い、位置情報を算出してステップＳ５８へ進む。ステップＳ５８ではＧＰＳ制御回路３１が変数Ｎから１を減算する。ステップＳ５９では、ＧＰＳ制御回路３１が記憶している推定残容量ＲＢＡＴから所定量Ｗを減算する。この所定量Ｗは、ＧＰＳモジュール３が１回の衛星補足動作により消費する電力量である。ステップＳ６０では、ＧＰＳ制御回路３１が、変数Ｎが０であるか否かを判定する。変数Ｎが０ではなかった場合、ステップＳ６０により否定判定がなされ、ステップＳ４４へ戻る。他方、ステップＳ６０において肯定判定がなされた場合には、処理を終了する。
【００６３】
ステップＳ４４において、推定残容量ＲＢＡＴが所定容量Ｒ１以下であった場合にはステップＳ４５へ進む。ステップＳ４５では、ＧＰＳ制御回路３１が、推定残容量ＲＢＡＴが所定容量Ｒ２より大きいか否かを判定する。この所定容量Ｒ２には、所定容量Ｒ１より小さい容量が設定される。推定残容量ＲＢＡＴが所定容量Ｒ２より大きい場合にはステップＳ６１へ進む。ステップＳ６１では、ＧＰＳ制御回路３１が衛星補足動作の試行回数を表す変数Ｎに２を設定する。ステップＳ６２では、ＧＰＳ制御回路３１が、所定時間Ｔ２（例えば１０分）が経過するまでスタンバイ状態のまま待機する。この所定時間Ｔ２には、所定時間Ｔ１より小さい時間が設定される。ステップＳ６３からステップＳ７０までの各ステップは、ステップＳ５３からステップＳ６０までの各ステップと同様であるため説明を省略する。ステップＳ４５において、推定残容量ＲＢＡＴが所定容量Ｒ２以下であった場合には図８の処理を終了する。
【００６４】
上述した第４の実施の形態によるデジタルカメラおよびＧＰＳモジュールによれば、第１の実施の形態によるデジタルカメラおよびＧＰＳモジュールで得られる作用効果に加えて、次の作用効果が得られる。
（１）ＧＰＳ制御回路３１は、衛星補足動作を間欠的に行う際、二次電池４２の残容量に基づいて衛星補足動作の試行回数を変更する。これにより、二次電池４２の残容量が少ないときには消費電力量を少なく抑える制御が可能となる。
【００６５】
――第５の実施の形態――
第５の実施の携帯に係るデジタルカメラは、第１の実施の形態に係るデジタルカメラと同様の構成を備える。第１の実施の形態のデジタルカメラとの相違点は、外部アクセサリであるＧＰＳモジュールが、位置情報の算出結果に応じて動作を変える点である。
【００６６】
本実施形態のＧＰＳモジュール３は、測位動作を間欠的に行う場合、位置情報の算出の都度、ＧＰＳモジュール３の移動状況を表す移動情報を算出する。本実施形態において移動情報は、以前に測位動作を行った位置からの移動量ｄである。ＧＰＳ制御回路３１は、移動量ｄが所定量Ｄより大きい場合、すなわち一定以上高速に移動している場合には、衛星補足動作の試行回数を増加させる。逆に、移動量ｄが極小である場合、すなわちＧＰＳモジュール３が移動していない場合には、衛星補足動作を打ち切る。
【００６７】
図９は、第５の実施の形態における、ＶBATによる電力の供給が開始された後の、ＧＰＳモジュール３の処理内容を示すフローチャートである。ステップＳ８１では、ＧＰＳ制御回路３１がＴＸの信号レベルをＨに設定する。ステップＳ８２では、ＧＰＳ制御回路３１が、ＶCCによる電力供給が行われているか否かを判定する。ＶCCから電力が供給されている場合には、ステップＳ８２により肯定判定がなされ、ステップＳ１００に進む。ステップＳ１００では、ＧＰＳ制御回路３１の制御に基づき、測位モジュール３２がＶCCを電源として衛星捕捉動作を行い、位置情報を算出してステップＳ８２へ戻る。他方、ステップＳ８２において否定判定がなされた場合には、ステップＳ８３へ進む。
【００６８】
ステップＳ８３ではＧＰＳ制御回路３１がＧＰＳモジュール３をスタンバイ状態とする。ステップＳ８４では、ＧＰＳ制御回路３１が衛星との通信の上限回数を表す変数Ｍに５を設定する。ステップＳ８５では、ＧＰＳ制御回路３１が衛星と通信を行った回数を表す変数ｍに０を設定する。ステップＳ８６では、ＧＰＳ制御回路３１が、所定時間Ｔ（例えば３０分）が経過するまでスタンバイ状態のまま待機する。ステップＳ８７ではＧＰＳ制御回路３１がＧＰＳモジュール３を稼働状態とする。ステップＳ８８ではＧＰＳ制御回路３１がＴＸの信号レベルをＬに設定する。ステップＳ８９ではＧＰＳ制御回路３１がＴＸの信号レベルをＨに戻す。
【００６９】
ステップＳ９０では、ＧＰＳ制御回路３１がステップＳ８８でＴＸの信号レベルをＬに設定したことにより、ＶCCによる電力供給が開始されたか否かを判定する。ＶCCを通じて電力が供給されている場合には、ステップＳ９０により肯定判定がなされ、ステップＳ１００に進む。ステップＳ１００ではＧＰＳ制御回路３１の制御に基づき、測位モジュール３２がＶCCを電源として衛星捕捉動作を行い、位置情報を算出してステップＳ８１へ戻る。他方、ステップＳ９０において否定判定がなされた場合には、ステップＳ９１へ進む。
【００７０】
ステップＳ９１ではＧＰＳ制御回路３１の制御に基づき、測位モジュール３２がＶBATを電源として衛星捕捉動作を行い、位置情報を算出してステップＳ９２へ進む。ステップＳ９２ではＧＰＳ制御回路３１が変数ｍが０か否かを判定する。変数ｍが０であった場合にはステップＳ９７へ進む。変数ｍが０以外の値であった場合にはステップＳ９３へ進む。ステップＳ９３では、ＧＰＳ制御回路３１が、後述するステップＳ９７において最後に記憶された位置情報と、ステップＳ９１で算出された最新の位置情報と、から移動量ｄを算出する。ステップＳ９４では、ＧＰＳ制御回路３１が移動量ｄが所定量Ｄ以上か否かを判定する。移動量ｄが所定量Ｄ以上であった場合にはステップＳ９５へ進む。ステップＳ９５ではＧＰＳ制御回路３１が衛星との通信の上限回数を表す変数Ｍを１増やす。
【００７１】
他方、ステップＳ９４において移動量ｄが所定量Ｄ未満であった場合にはステップＳ９６へ進む。ステップＳ９６では、ＧＰＳ制御回路３１が移動量ｄが０を上回るか否かを判定する。なお、０の代わりに微少な量εと移動量ｄとを比較してもよい。移動量ｄが０を上回る場合にはステップＳ９７へ進む。他方、移動量ｄが０であった場合には図９のフローチャートで示す処理を終了する。
【００７２】
ステップＳ９７では、ＧＰＳ制御回路３１がステップＳ９１において算出された最新の位置情報を記憶する。ステップＳ９８では、ＧＰＳ制御回路３１が衛星との通信回数を表す変数ｍを１増やす。ステップＳ９９では、ＧＰＳ制御回路３１が変数Ｍと変数ｍとが等しいか否かを判定する。変数Ｍと変数ｍが等しくなかった場合にはステップＳ８６へ戻る。他方、変数Ｍと変数ｍが等しい場合には図９のフローチャートで示す処理を終了する。
【００７３】
上述した第５の実施の形態によるデジタルカメラおよびＧＰＳモジュールによれば、第１の実施の形態によるデジタルカメラおよびＧＰＳモジュールで得られる作用効果に加えて、次の作用効果が得られる。
（１）ＧＰＳ制御回路３１は、衛星補足動作を間欠的に行う際、移動情報に基づいて衛星補足動作の上限回数を変更する。これにより、現在位置が急激に変化している場合であっても、衛星を補足し続けることが可能になる。
【００７４】
――第６の実施の形態――
第６の実施の携帯に係るデジタルカメラは、第１の実施の形態に係るデジタルカメラと同様の構成を備える。第１の実施の形態のデジタルカメラとの相違点は、外部アクセサリであるＧＰＳモジュールがデジタルカメラの動作状態を受信すること、ならびに、デジタルカメラが特定の状態である場合に衛星補足動作を間欠的に行うことにある。
【００７５】
本実施形態のデジタルカメラ１は、記録媒体２２に記録されている画像のスライドショー再生を行う処理を、デジタルカメラ１に接続された外付けの表示装置へ画像を出力する処理と、を実行することができる。以下の説明では、デジタルカメラ１がこれらの処理を実行中であるとき、デジタルカメラ１が再生状態であると称する。
【００７６】
本実施形態のデジタルカメラ１は、再生状態になった時、再生状態になったことをＧＰＳモジュール３へ通知する。また、再生状態ではなくなった時にも、その旨をＧＰＳモジュール３へ通知する。これらの通知には、通信経路ＴＸが用いられる。ＧＰＳモジュール３は通信経路ＴＸを介してこれらの通知を受信することにより、デジタルカメラ１が再生状態であるか否かを認識する。すなわち、ＧＰＳモジュール３は、デジタルカメラ１が現在再生状態であるか否かを常に把握している。本実施形態のＧＰＳモジュール３は、衛星補足動作を行う際にデジタルカメラ１が再生状態である場合には、ＶCCではなくＶBATを用いて間欠的に衛星補足動作を行う。
【００７７】
図１０は、第６の実施の形態における、ＶBATによる電力の供給が開始された後の、ＧＰＳモジュール３の処理内容を示すフローチャートである。ステップＳ１０１では、ＧＰＳ制御回路３１がＴＸの信号レベルをＨに設定する。ステップＳ１０２では、ＧＰＳ制御回路３１が、デジタルカメラ１が再生状態であるか否かを判定する。デジタルカメラ１が再生状態である場合にはステップＳ１０４へ進む。他方、デジタルカメラ１が再生状態ではない場合には、ステップＳ１０３へ進む。
【００７８】
ステップＳ１０３では、ＧＰＳ制御回路３１が、ＶCCによる電力供給が行われているか否かを判定する。ＶCCから電力が供給されている場合には、ステップＳ１０３により肯定判定がなされ、ステップＳ１１６へ進む。ステップＳ１１６では、ＧＰＳ制御回路３１の制御に基づき、測位モジュール３２がＶCCを電源として衛星補足動作を行い、位置情報を算出してステップＳ１０２へ戻る。他方、ステップＳ１０３において否定判定がなされた場合には、ステップＳ１０４へ進む。
【００７９】
ステップＳ１０４では、ＧＰＳ制御回路３１が衛星補足動作の試行回数を表す変数Ｎに５を設定する。ステップＳ１０５ではＧＰＳ制御回路３１がＧＰＳモジュール３をスタンバイ状態に設定する。ステップＳ１０６ではＧＰＳ制御回路３１が、所定時間（例えば３０分）が経過するまでスタンバイ状態のまま待機する。なお、ＧＰＳモジュール３がスタンバイ状態のまま待機している場合であっても、ＧＰＳ制御回路３１はデジタルカメラ１からの再生状態に関する通知を受信する。ステップＳ１０７ではＧＰＳ制御回路３１がＧＰＳモジュール３を稼働状態とする。
【００８０】
ステップＳ１０８では、ＧＰＳ制御回路３１が、デジタルカメラ１が再生状態であるか否かを判定する。デジタルカメラ１が再生状態である場合にはステップＳ１１２へ進む。他方、デジタルカメラ１が再生状態ではない場合には、ステップＳ１０９へ進む。ステップＳ１０９からステップＳ１１５までの各ステップは、図４に示したステップＳ１７からステップＳ２３までの各ステップと同様であるため説明を省略する。
【００８１】
上述した第６の実施の形態によるデジタルカメラおよびＧＰＳモジュールによれば、第１の実施の形態によるデジタルカメラおよびＧＰＳモジュールで得られる作用効果に加えて、次の作用効果が得られる。
（１）ＧＰＳモジュール３は、デジタルカメラ１が再生状態ではない場合に、測位モジュール３２による衛星捕捉動作を連続的に行う。他方、デジタルカメラ１が再生状態である場合には、測位モジュール３２による衛星捕捉動作を間欠的に行う。これにより、位置情報が不要であるときの測位モジュール３２による消費電力を削減することができる。
【００８２】
次のような変形も本発明の範囲内であり、変形例の一つ、もしくは複数を上述の実施形態と組み合わせることも可能である。
【００８３】
（変形例１）
デジタルカメラ１が電源オフ状態のときに実行されるＧＰＳモジュール３の衛星捕捉動作は、常に一定の時間をおいて実行するのではなく、ランダムな時間が経過したときに実行するようにしてもよい。
【００８４】
（変形例２）
電池パックは電子機器に対し内蔵とするか外付けとするかを問わない。
【００８５】
（変形例３）
上述の実施形態では、携帯用電子機器と外部アクセサリが共通の電池パックから電力供給を受ける場合について説明してきたが、本発明はそれぞれ専用の電池パックから電力供給を受ける場合であっても適用可能である。
【００８６】
（変形例４）
上述の実施形態では、ＧＰＳモジュール３とフラッシュモジュール１０３について説明を行った。本発明は、これら以外の外部アクセサリに対しても適用可能である。
【００８７】
（変形例５）
第４の実施の形態の変形例として、移動情報は移動量ではなく移動速度であってもよい。すなわち、移動量ｄを所定量Ｄと比較する代わりに、移動速度ｖを所定速度Ｖと比較するようにしてもよい。また、移動量ｄが所定量Ｄ以上であった場合や、移動速度ｖが所定速度Ｖ以上であった場合に、通信の上限回数を表す変数Ｍを増やすのではなく、待機時間Ｔを例えば５分ずつ減らすようにしてもよい。変数Ｍの増加と待機時間Ｔの減少とを組み合わせてもよい。待機時間Ｔの減少量は、移動量ｄや移動速度ｖに応じて変化するようにしてもよい。例えば、移動速度ｖが時速５０キロメートル以上の場合には待機時間Ｔを８分ずつ減らし、時速５０キロメートル未満の場合には待機時間Ｔを５分ずつ減らすようにしてもよい。
【００８８】
（変形例６）
第６の実施の形態の変形例として、ＧＰＳモジュール３に接続される電源ラインがＶCCのみであってもよい。この場合、ＧＰＳモジュール３は間欠的に動作する場合であってもＶCCにより駆動される。また、デジタルカメラ１の動作状態がスタンバイ状態に遷移してもＶCCによる電力供給は継続される。
【００８９】
（変形例７）
第６の実施の形態の変形例として、デジタルカメラ１が画像のスライドショー再生処理や外部機器への画像出力処理以外の処理を実行している場合であっても、デジタルカメラ１が再生状態であると見なしてよい。例えば、画像をサムネイル表示している場合であってもよい。また、上述した再生状態以外の動作状態を扱う際にも、本発明を適用することが可能である。具体的には、デジタルカメラ１がＧＰＳモジュール３により算出された位置情報を利用しない状態であれば、ＧＰＳモジュール３を間欠的に動作させてよい。例えば、一眼レフレックスタイプのデジタルカメラにおいて、交換レンズが装着されていない場合にＧＰＳモジュールが間欠的に動作するよう構成してもよい。あるいは、記録媒体が装着されていない場合や、記録媒体の空き容量が所定量以下の場合に、ＧＰＳモジュールが間欠的に動作するよう構成してもよい。
【００９０】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００９１】
１，１０１  デジタルカメラ
３，２０３  ＧＰＳモジュール
４，１０４，２０４  バッテリパック
１６，１１６，２１６  制御回路
１０３  フラッシュモジュール
２０１  携帯情報端末
【図１】
2010049680.tif 000003
【図２】
2010049680.tif 000004
【図３】
2010049680.tif 000005
【図４】
2010049680.tif 000006
【図５】
2010049680.tif 000007
【図６】
2010049680.tif 000008
【図７】
2010049680.tif 000009
【図８】
2010049680.tif 000010
【図９】
2010049680.tif 000011
【図１０】
2010049680.tif 000012